(57)【要約】【課題】本発明が解決しようとする課題は、プレフィルタの交換での作業性を損なわずに、通常稼働時あるいはプレフィルタ交換時のいずれにおいても昆虫類の侵入を防ぐことができる防虫フィルタおよび防虫フィルタ装置を提供することである。【解決手段】実施形態の防虫フィルタ装置は、プレフィルタ枠と、前記プレフィルタ枠に対し、外気の通気方向に取り外し可能なプレフィルタ本体と、前記プレフィルタ枠に接着固定された防虫フィルタと、を有し、前記防虫フィルタの外周部が前記プレフィルタ枠と隙間なく接着固定されていることを特徴とする。【選択図】図４
2017070250.tif 000002
【特許請求の範囲】
【請求項１】
プレフィルタ枠と、
前記プレフィルタ枠に対し、外気の通気方向に取り外し可能なプレフィルタ本体と、
前記プレフィルタ枠に接着固定された防虫フィルタと、
を有し、
前記防虫フィルタの外周部が前記プレフィルタ枠と隙間なく接着固定されていることを特徴とする防虫フィルタ装置。
【請求項２】
前記防虫フィルタが前記プレフィルタ枠の外気流出面側に設置されていることを特徴とする請求項１に記載の防虫フィルタ装置。
【請求項３】
前記防虫フィルタの目合いあるいは平均開口径が０.４mm以下であることを特徴とする請求項１または請求項２に記載の防虫フィルタ装置。
【請求項４】
前記プレフィルタ枠は内側に向けて断面コ字状を有し、前記プレフィルタ枠の外気流出側に前記防虫フィルタを固定することを特徴とする請求項１に記載の防虫フィルタ装置。
【請求項５】
前記プレフィルタ枠は内側に向けて断面コ字状を有し、前記コ字状の底面に接着剤を注入し、前記防虫フィルタの外周部を前記プレフィルタ枠に接着固定することを特徴とする請求項１に記載の防虫フィルタ装置。
【請求項６】
外気の流入面および流出面に開口部があり、プレフィルタ枠を設置固定可能な構造のケーシングと、
前記ケーシングに対し外気の流入面側あるいは流出面側に取り外し可能なプレフィルタ枠と、
目合いあるいは平均開口径が０.４mm以下の防虫フィルタと、
を有し、
前記防虫フィルタが前記プレフィルタ枠に対し外気の流出面側に設置され、前記防虫フィルタの外周部が前記プレフィルタ枠と隙間なく接着固定されていることを特徴とする防虫フィルタ装置。
【発明の詳細な説明】
【技術分野】
【０００１】
本発明の実施形態は、防虫フィルタ装置に関する。
【背景技術】
【０００２】
食品工場や医療・薬品工場などの衛生的環境、あるいは精密機械の製造工場や半導体工場などのクリーン環境内では、不純物となる化学物質やチリなどの微粒子の侵入を防ぐ必要がある。これらのクリーン環境における外気導入装置には、通常、中性能フィルタやHEPAフィルタ（High Efficiency Particulate Air Filter）などの防塵フィルタ、あるいは活性炭などの吸着剤を用いたケミカルフィルタが、適宜目的の環境に合わせた組み合わせで設置され、工場内にはこれらのフィルタを通して清浄化された空気が導入される。
【０００３】
外気には比較的大きなチリやほこり、異物、昆虫なども含まれており、これらが上記の防塵フィルタやケミカルフィルタなどに付着した場合、フィルタ機能が大幅に低下する。防塵フィルタやケミカルフィルタは、高価であり容易には交換できない。よって通常、防塵フィルタやケミカルフィルタを保護するため、これらフィルタの外気側にプレフィルタを設置する。プレフィルタは、上記の防塵フィルタに比べて目が粗く、実際の設置環境においてはもっとも外気側に設置されるフィルタである。
【０００４】
プレフィルタは、プレフィルタ本体を保持するプレフィルタ枠と、そのプレフィルタ枠を保持するケーシングとから構成される。そのケーシングは、通気管内に取り付けられる。
【０００５】
プレフィルタ本体は、直接外気に触れるため汚れがたまりやすく、フィルタの交換頻度が最も高い。このためプレフィルタは、容易に交換できる作業性が最優先される構造になっている。プレフィルタはプレフィルタ枠に固定されており、通常、通気管あるいはケーシングにはプレフィルタ枠が容易に取り出せるように、プレフィルタ枠の取出し口あるいは点検口が設けられている。
【０００６】
プレフィルタ枠の取り出し方法は、大きく２つに分類される。一つは、外気の通気方向とは垂直方向にプレフィルタ枠の取出し口を設け、ケーシングから直接プレフィルタ枠を取り出せるサイドアクセス方式である。もう一つは、通気管に人が入れるあるいは人が作業できる点検口を設け、通気管の中で外気の通気方向あるいはその逆方向に、ケーシングからプレフィルタ枠を取り外せる構造にしたフロントアクセス方式である。サイドアクセス方式は、通気管あるいはフィルタ装置周辺のスペースに余裕がある比較的小型のフィルタ装置で主に使われる方式である。一方、フロントアクセス方式は、通気管に人が入れるほどの比較的大型のフィルタ装置で主に使われる方式である。
【０００７】
サイドアクセス式およびフロントアクセス式は、いずれもプレフィルタ枠交換の作業性を優先した構造となっており、プレフィルタ本体とプレフィルタ枠、あるいはケーシングとの気密性は必ずしも十分ではない。また、プレフィルタ枠の交換の際には、一旦送気を止めて取外し作業を行うが、昆虫類は気流がなくても自発的に移動できるため、プレフィルタ枠の交換の際は昆虫類の侵入を防ぐことができない。従ってこれまでは、プレフィルタ枠の交換作業を素早く行うなどの手段しかなかった。
【０００８】
また、特にフロントアクセス式を採用している大型のフィルタ装置においては、通気方向とは垂直方向に複数のプレフィルタ枠を並列に組み合わせることで、全体として巨大なサイズのフィルタ構造を形成している場合がある。その場合は、プレフィルタ枠を１つ１つ交換していくためにさらに時間がかかり、昆虫などの侵入が問題となっていた。
【先行技術文献】
【特許文献】
【０００９】
【特許文献１】特開2013−071058号公報
【特許文献２】特開2014−039922号公報
【非特許文献】
【００１０】
【非特許文献１】服部畦作（ほか）著、改訂版不快害虫とその駆除、第２版、日本環境衛生センター、1996年
【発明の概要】
【発明が解決しようとする課題】
【００１１】
本発明が解決しようとする課題は、プレフィルタの交換での作業性を損なわずに、通常稼働時あるいはプレフィルタ交換時のいずれにおいても昆虫類の侵入を防ぐことができる防虫フィルタ装置を提供することである。
【課題を解決するための手段】
【００１２】
実施形態の防虫フィルタ装置は、プレフィルタ枠と、前記プレフィルタ枠に対し、外気の通気方向に取り外し可能なプレフィルタ本体と、前記プレフィルタ枠に接着固定された防虫フィルタと、を有し、前記防虫フィルタの外周部が前記プレフィルタ枠と隙間なく接着固定されていることを特徴とする。
また、実施形態の防虫フィルタ装置は、外気の流入面および流出面に開口部があり、プレフィルタ枠を設置固定可能な構造のケーシングと、前記ケーシングに対し外気の流入面側あるいは流出面側に取り外し可能なプレフィルタ枠と、目合いあるいは平均開口径が０.４mm以下の防虫フィルタと、を有し、前記防虫フィルタが前記プレフィルタ枠に対し外気の流出面側に設置され、前記防虫フィルタの外周部が前記プレフィルタ枠と隙間なく接着固定されていることを特徴とする。
実施形態の防虫フィルタ装置によれば、通常の外気導入運転時およびプレフィルタ本体の交換時においてもプレフィルタ枠と防虫フィルタが隙間なく接着固定されていることにより、常に昆虫類の侵入を防ぎ、クリーン環境を維持することができる。
【図面の簡単な説明】
【００１３】
【図１】実施形態である防虫フィルタ、プレフィルタ本体およびプレフィルタ枠の分解斜視図。
【図２】実施形態である防虫フィルタが付いたプレフィルタ枠およびケーシングの分解斜視図。
【図３】実施形態であるケーシングが設置された通風管の斜視図。
【図４】実施形態である防虫フィルタが付いたプレフィルタ枠およびプレフィルタ本体において、防虫フィルタと接着固定されているプレフィルタ枠の外周部の断面図。
【発明を実施するための形態】
【００１４】
以下、発明を実施するための実施形態の一つについて、図１乃至図４を用いて説明する。
図１は、図３に示した通風管８の外気側に点検口９が設置されたフロントアクセス式のプレフィルタにおける、防虫フィルタ３が付いたプレフィルタ本体２およびプレフィルタ枠５の分解斜視図である。風圧によるたわみを防止するため、やまがた１と井桁４で挟み込む形状でプレフィルタ本体２と防虫フィルタ３がプレフィルタ枠５に固定される。図２に示すプレフィルタ組立体６は、その組み立てられたプレフィルタを示し、外気流入面側にプレフィルタ本体２を、外気流出側に防虫フィルタ３を設置する。
【００１５】
防虫フィルタ３の外周部は、すべてプレフィルタ枠５の外周に沿って接着剤１０で隙間なく接着固定される。即ち、図４に示すように、プレフィルタ枠５は、外枠の形状が内側に向けて断面コ字状を有しており、下向きの枠体の底面１０ａに接着剤１０を注入して、防虫フィルタ３を接着固定する。この接着固定の作業を４辺の外枠に対して実施する。防虫フィルタ３の外周部を隙間なくプレフィルタ枠５に取り付け、接着剤１０が乾燥した後、外気流入面側にプレフィルタ本体２を取り外し可能にプレフィルタ枠５に取り付ける。更に、プレフィルタ本体２が簡単に外れることがないように、やまがた１で流入面を抑える。
【００１６】
このようにして、防虫フィルタ３とプレフィルタ枠５が接着剤１０によって接着固定される一方で、プレフィルタ本体２はやまがた１を外すことでプレフィルタ枠５から容易に着脱でき、必要に応じて交換が可能なようにプレフィルタ組立体６が組み立てられる。このように組み立てられたプレフィルタ組立体６は、図２に示すようにケーシング７にネジ等で取り付けられる。そして、それらのケーシング７が図３に示すように、例えばクリーン環境などに設置される。よって、プレフィルタ枠５をケーシング７に固定したまま、プレフィルタ本体２を交換することで、昆虫類が侵入することなくフィルタ交換ができる。
【００１７】
やまがた１は、防虫フィルタ３側あるいはプレフィルタ本体２側のいずれでも問題なく使用可能である。また井桁４もまた、防虫フィルタ３側あるいはプレフィルタ本体２側のいずれでも使用可能であるが、プレフィルタ本体２の取り外しの作業性から、防虫フィルタ３側に使用することが望ましい。
【００１８】
防虫フィルタ３は、ハニカム形状あるいはメッシュ形状のいずれでも使用可能である。ハニカム構造の場合は、平均開口径が０.４mm以下であることが望ましい。メッシュ形状の場合は、目合いが０.４mm以下であることが望ましい。
【００１９】
侵入が想定される昆虫の例としては、比較的体長が小さく、家屋侵入性がある小型のハエ類（成虫）があげられる。一例としては、クロバネキノコバエ類、ケバエ類、チョウバエ類、ノミバエ類、ショウジョウバエ類などがある。これらのハエの多くは体長１〜５mm程度であり、これら昆虫の侵入を防ぐには、防虫フィルタ３の目合いあるいは平均開口径を、これら昆虫の体長の半分以下である０.４mm以下とすることが望ましい。
【００２０】
上記防虫フィルタ３のハニカム形状には、いわゆる蜂の巣状の構造の他、例えば、断面が格子状、円形状、波形状、多角形状、不定形状、全部あるいは一部に曲面を有する形状などであって、空気が構造体の要素となるセルを通過し得る形状が全て含まれる。また、ハニカム形状としては、例えば、コルゲート加工によって成形されたコルゲート状のシートと平坦状のシートが交互に積層して得られる構造（コルゲート状ハニカム構造）やプリーツ形状のシートと平埋状のシートからなる構造であって、通気方向に対して、プリーツ形状のシートと直角に平坦状のシートを順に積層した構造などが挙げられる。
【００２１】
上記メッシュ形状としては、モノフィラメントあるいはマルチフィラメントで構成された織物あるいは編物があげられる。またその材質は、特に限定されるものではなく、たとえばポリオレフィン系樹脂、ポリエステル樹脂、ポリアミド樹脂、あるいは鉄、ステンレス、銅、アルミなどの金属材料やガラス繊維を用いることができる。
【００２２】
プレフィルタ枠５の材質については、特に限定されるものではなく、好適に強度と耐久性を有すればよく、たとえばステンレス、アルミ、鉄、木製、樹脂性があげられる。この中では強度、耐久性、および重量の面からアルミニウムが好ましい。
【００２３】
接着剤１０の種類としては、特に限定されるものではなく、ウレタン系、EVA系（エチレン・酢酸ビニル共重合体）、オレフィン系、エポキシ系が適宜使用可能である。
【００２４】
プレフィルタ本体２の材料については、特に限定されないが、ポリオレフィン系樹脂、ポリエステル樹脂、ポリアミド樹脂、ガラス繊維などがあげられる。またその形状としては、特に限定されないが、織物、編物、不織布、スポンジ状などがあげられ、またこれらの形状にさらに折り加工を施したプリーツ形状が用いられる。
【００２５】
上記構成により、通常の外気導入運転時およびプレフィルタ本体２の交換時においてもプレフィルタ枠５と防虫フィルタ３が隙間なく接着固定されていることにより、常に昆虫類の侵入を防ぎ、クリーン環境を維持することが可能である。
【実施例】
【００２６】
プレフィルタ本体２とプレフィルタ枠５およびケーシング７には、ニッタ株式会社製のＮＴ２０型プレフィルタを使用した。防虫フィルタ３には、長産業株式会社製のＰＰハニカムＰＨ６０６０ＢＫを、プレフィルタ枠５の大きさにカットして使用した。また接着剤１０には、ポリオレフィン系ホットメルト接着剤を使用した。
【００２７】
プレフィルタ枠５のいずれかの辺の内側の外気流出面側の端に接着剤１０を塗布した後、防虫フィルタ３の一辺を張り付け、冷却して十分に接着固定させた。これを各辺で繰り返して実施し、プレフィルタ枠５の外気流出面側に防虫フィルタ３の外周を隙間なく接着した。
【００２８】
プレフィルタ枠５にプレフィルタ本体２を入れ、やまがた１を入れて固定した。またプレフィルタ枠５の防虫フィルタ３を接着固定した側の開口部側に井桁４を入れて固定し、防虫フィルタ３およびプレフィルタ本体２が固定されたプレフィルタ組立体６を作成した。
なお、上記実施形態では接着剤で防虫フィルタ３を固定するとしたが、内側に向けて断面コ字状を有するプレフィルタ枠の外気流出側に両面テープにて防虫フィルタを固定するものでもよい。
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１…やまがた
２…プレフィルタ本体
３…防虫フィルタ
４…井桁
５…プレフィルタ枠
６…プレフィルタ組立体
７…ケーシング
８…ケーシングが設置された通気管
９…通気管の点検口
１０…接着剤
【図１】
2017070250.tif 000003
【図２】
2017070250.tif 000004
【図３】
2017070250.tif 000005
【図４】
2017070250.tif 000006